(57)【要約】【課題】一般的なディスクのみならず、一部が透明なディスクであっても確実にディスク径を検出する。【解決手段】挿入口に挿入されたディスクを本体の内側にローディングして再生するディスクプレーヤにおいて、挿入口にほぼ中心振り分けで配置され、挿入されるディスクの外周部に当接して回動しつつ、当該挿入口の側方に退避する一対のゲート部材と、ゲート部材の回動角が、ディスクの通過に伴って第１の回動角以上であることを検出する第１検出部ＳＷＡと、ゲート部材の回動角が、ディスクの通過に伴って第１の回動角よりも大きな第２の回動角以上であることを検出する第２検出部ＳＷＢと、ローディングに伴う前記第１検出部ＳＷＡの検出状態および第２検出部ＳＷＢの検出状態の時間的変化に基づいてローディング対象のディスクの径を判別する。【選択図】図１
2007250088.tif 000002
【特許請求の範囲】
【請求項１】
挿入口に挿入されたディスクを本体の内側にローディングして再生するディスクプレーヤにおいて、
前記挿入口にほぼ中心振り分けで配置され、挿入されるディスクの外周部に当接して回動しつつ、当該挿入口の側方に退避する一対のゲート部材と、
前記ゲート部材の回動角が、前記ディスクの通過に伴って第１の回動角以上であることを検出する第１検出部と、
前記ゲート部材の回動角が、前記ディスクの通過に伴って前記第１の回動角よりも大きな第２の回動角以上であることを検出する第２検出部と、
前記ローディングに伴う前記第１検出部の検出状態および前記第２検出部の検出状態の時間的変化に基づいてローディング対象のディスクの径を判別するディスク径判別部と、
を備えたことを特徴とするディスクプレーヤ。
【請求項２】
請求項１記載のディスクプレーヤにおいて、
前記ディスク径検出部は、前記ローディングに伴ってローディング開始からローディング終了に至るまでに前記第１検出部のみが検出状態となった場合には、第１の直径を有するディスクがローディングされたと判別し、
前記ローディングに伴ってローディング開始からローディング終了に至るまでに前記第１検出部および前記第２検出部の双方が検出状態となった場合には、第１の直径よりも大きな第２の直径を有するディスクがローディングされたと判別する、
ことを特徴とするディスクプレーヤ。
【請求項３】
請求項１または請求項２記載のディスクプレーヤにおいて、
前記第１検出部および前記第２検出部は、メカニカルスイッチを有し、
少なくとも一方の前記ゲート部材には、前記ディスクの通過による回動に伴って前記メカニカルスイッチを作動させて、所定回動角範囲においては当該状態を保持する操作保持部が形成されていることを特徴とするディスクプレーヤ。
【請求項４】
請求項１ないし請求項３のいずれかに記載のディスクプレーヤにおいて、
前記ディスク径判別部の判別結果をディスク径データとして記憶するディスク径データ記憶部を備えたことを特徴とするディスクプレーヤ。
【請求項５】
請求項１ないし請求項４のいずれかに記載のディスクプレーヤにおいて、
前記ディスクが前記挿入口のほぼ中心から側方にずれて挿入された場合に、一対のゲート部材の側方への退避を阻止するロック部を備えたことを特徴とするディスクプレーヤ。
【請求項６】
請求項１ないし請求項５のいずれかに記載のディスクプレーヤにおいて、
前記一対のゲート部材を付勢部材により挿入口中央に向けて付勢したことを特徴とするディスクプレーヤ。
【請求項７】
挿入口にほぼ中心振り分けで配置され、挿入されるディスクの外周部に当接して回動しつつ、当該挿入口の側方に退避する一対のゲート部材を備え、前記挿入口に挿入されたディスクを本体の内側にローディングして再生するディスクプレーヤにおいて、
前記ゲート部材の回動角が、前記ディスクの通過に伴って第１の回動角以上であることを検出する第１検出過程と、
前記ゲート部材の回動角が、前記ディスクの通過に伴って前記第１の回動角よりも大きな第２の回動角以上であることを検出する第２検出過程と、
前記ローディングに伴う前記第１検出部の検出状態および前記第２検出部の検出状態の時間的変化に基づいてローディング対象のディスクの径を判別するディスク径判別過程と、
を備えたことを特徴とするディスクプレーヤの制御方法。
【請求項８】
挿入口にほぼ中心振り分けで配置され、挿入されるディスクの外周部に当接して回動しつつ、当該挿入口の側方に退避する一対のゲート部材と、前記ゲート部材の回動角が第１の回動角以上であることを検出する第１検出部と、前記ゲート部材の回動角が前記第１の回動角より大きな第２回動角以上であることを検出する第２検出部と、を備え、前記挿入口に挿入されたディスクを本体の内側にローディングして再生するディスクプレーヤをコンピュータにより制御するための制御プログラムにおいて、
前記ゲート部材の回動角が、前記ディスクの通過に伴って第１の回動角以上であるか否かを検出させ、
前記ゲート部材の回動角が、前記ディスクの通過に伴って前記第１の回動角よりも大きな第２の回動角以上であるか否かを検出させ、
前記ローディングに伴う前記回動角の検出状態の時間的変化に基づいてローディング対象のディスクの径を判別させる、
ことを特徴とする制御プログラム。
【発明の詳細な説明】
【技術分野】
【０００１】
本発明は、車両に搭載されてＣＤ（コンパクトディスク）、ＤＶＤ（デジタル・バーサタイル・ディスク）等の記録媒体ディスクの情報を再生するディスクプレーヤ、ディスクプレーヤの制御方法および制御プログラムに係り、特に挿入されたディスクのディスク径を判別する技術に関する。
【背景技術】
【０００２】
一般に、車両に搭載されるＣＤ、ＤＶＤプレーヤ等の従来のディスクプレーヤでは、例えば８ｃｍディスク、１２ｃｍディスク等の径（大きさ）の異なるディスクを挿入口から吸い込んで、本体内に引き込まれた当該ディスクをターンテーブルにクランプさせチャッキングして再生している（例えば、特許文献１参照）。
【特許文献１】ＷＯ／２００１／０９１１１９号
【発明の開示】
【発明が解決しようとする課題】
【０００３】
ところで、径の異なるディスクを再生させるディスクプレーヤにおいて、挿入されたディスクを正常に再生するためには、挿入されたディスクの径（大きさ）を検出する必要があった。
このため、従来においては、例えば、８ｃｍディスクおよび１２ｃｍディスクを再生可能なディスクプレーヤにおいては、ディスクが挿入されたことを検出するとともに、反射型あるいは透過型の光センサを大径の１２ｃｍディスクが挿入された場合に当該ディスクを検出可能な位置に配置し、ディスクが挿入されたことを検出し、かつ、反射型の光センサがディスクを検出できない場合には、８ｃｍディスクが挿入されたとして動作制御を行うようになっていた。
【０００４】
しかしながら、近年、本来はデータを書込可能な領域において、デザイン上の観点から透明としたディスクも存在しており、ディスクプレーヤにおいて、光センサがこのような一部が透明な領域で検出を行おうとすると、ディスクがないものと検出され、ディスク径
そこで、本発明の目的は、一般的なディスクのみならず、一部が透明なディスクであっても確実にディスク径を検出することが可能なディスクプレーヤ、ディスクプレーヤの制御方法および制御プログラムを提供することにある。
【課題を解決するための手段】
【０００５】
上記課題を解決するため、挿入口に挿入されたディスクを本体の内側にローディングして再生するディスクプレーヤにおいて、前記挿入口にほぼ中心振り分けで配置され、挿入されるディスクの外周部に当接して回動しつつ、当該挿入口の側方に退避する一対のゲート部材と、前記ゲート部材の回動角が、前記ディスクの通過に伴って第１の回動角以上であることを検出する第１検出部と、前記ゲート部材の回動角が、前記ディスクの通過に伴って前記第１の回動角よりも大きな第２の回動角以上であることを検出する第２検出部と、前記ローディングに伴う前記第１検出部の検出状態および前記第２検出部の検出状態の時間的変化に基づいてローディング対象のディスクの径を判別するディスク径判別部と、を備えたことを特徴としている。
上記構成によれば、第１検出部は、ゲート部材の回動角が、ディスクの通過に伴って第１の回動角以上であることを検出し、第２検出部は、ゲート部材の回動角が、前記ディスクの通過に伴って第１の回動角よりも大きな第２の回動角以上であることを検出する。
これにより、ディスク径判別部は、ローディングに伴う第１検出部の検出状態および第２検出部の検出状態の時間的変化に基づいてローディング対象のディスクの径を判別する。
【０００６】
この場合において、前記ディスク径検出部は、前記ローディングに伴ってローディング開始からローディング終了に至るまでに前記第１検出部のみが検出状態となった場合には、第１の直径を有するディスクがローディングされたと判別し、前記ローディングに伴ってローディング開始からローディング終了に至るまでに前記第１検出部および前記第２検出部の双方が検出状態となった場合には、第１の直径よりも大きな第２の直径を有するディスクがローディングされたと判別するようにしてもよい。
【０００７】
また、前記第１検出部および前記第２検出部は、メカニカルスイッチを有し、少なくとも一方の前記ゲート部材には、前記ディスクの通過による回動に伴って前記メカニカルスイッチを作動させて、所定回動角範囲においては当該状態を保持する操作保持部が形成されているようにしてもよい。
さらに、前記ディスク径判別部の判別結果をディスク径データとして記憶するディスク径データ記憶部を備えるようにしてもよい。
【０００８】
さらにまた、前記ディスクが前記挿入口のほぼ中心から側方にずれて挿入された場合に、一対のゲート部材の側方への退避を阻止するロック部を備えるようにしてもよい。
また、前記一対のゲート部材を付勢部材により挿入口中央に向けて付勢するようにしてもよい。
【０００９】
また、挿入口にほぼ中心振り分けで配置され、挿入されるディスクの外周部に当接して回動しつつ、当該挿入口の側方に退避する一対のゲート部材を備え、前記挿入口に挿入されたディスクを本体の内側にローディングして再生するディスクプレーヤにおいて、前記ゲート部材の回動角が、前記ディスクの通過に伴って第１の回動角以上であることを検出する第１検出過程と、前記ゲート部材の回動角が、前記ディスクの通過に伴って前記第１の回動角よりも大きな第２の回動角以上であることを検出する第２検出過程と、前記ローディングに伴う前記第１検出部の検出状態および前記第２検出部の検出状態の時間的変化に基づいてローディング対象のディスクの径を判別するディスク径判別過程と、を備えたことを特徴としている。
【００１０】
また、挿入口にほぼ中心振り分けで配置され、挿入されるディスクの外周部に当接して回動しつつ、当該挿入口の側方に退避する一対のゲート部材と、前記ゲート部材の回動角が第１の回動角以上であることを検出する第１検出部と、前記ゲート部材の回動角が前記第１の回動角より大きな第２回動角以上であることを検出する第２検出部と、を備え、前記挿入口に挿入されたディスクを本体の内側にローディングして再生するディスクプレーヤをコンピュータにより制御するための制御プログラムにおいて、前記ゲート部材の回動角が、前記ディスクの通過に伴って第１の回動角以上であるか否かを検出させ、前記ゲート部材の回動角が、前記ディスクの通過に伴って前記第１の回動角よりも大きな第２の回動角以上であるか否かを検出させ、前記ローディングに伴う前記回動角の検出状態の時間的変化に基づいてローディング対象のディスクの径を判別させる、ことを特徴としている。
【発明の効果】
【００１１】
本発明によれば、挿入口に一対のゲート部材を設け、ローディングに伴うゲート部材の回動角の時間的変化に基づいて機械的にディスクの径を判別することができ、一般的なディスクのみならず、一部が透明なディスクであっても確実にディスク径を検出することができる。
【発明を実施するための最良の形態】
【００１２】
以下、本発明の一実施の形態を、図面に基づき説明する。
図１は、本実施の形態に係るディスクプレーヤの外観を示す斜視図である。
ディスクプレーヤ１は、ＣＤ、ＤＶＤ等の例えば直径８ｃｍや、直径１２ｃｍ等の大きさの異なる記録媒体ディスクが引き込まれて、このディスクに記録された情報が再生される。ディスクプレーヤ１は、板金製のシャーシ３を備えている。このシャーシ３はロアーシャーシ５と、このロアーシャーシ５の上方を覆うアッパーシャーシ７とを備え、その内側には、図１では図示を省略したが、ディスクをローディングするためのローディングメカニズム、それをクランプするためのクランパメカニズム、それをドライブするためのドライブメカニズム等が設けられている。
さらにアッパーシャーシ７の上面には、ディスクのローディング位置を検出するローディングスイッチＳＷＡ、ディスクのリローディング位置を検出するリローディングスイッチＳＷＢが設けられている。なお、検出方法については後述する。
【００１３】
図２は、アッパーシャーシを取り外した斜視図である。図３は、ロアーシャーシの斜視図である。図４は、ロアーシャーシにドライブユニットを取り付けた左方視の斜視図である。図５は、ロアーシャーシにドライブユニットを取り付けた右方視の斜視図である。
上記ロアーシャーシ５は、図３に示すように、枠状に形成され、このロアーシャーシ５には、ダンパ及びばねを備えた３つの防振構造体１１が取り付けられ、この防振構造体１１の上に、図２に示すように、クランパメカやドライブメカが一体化されたドライブユニット９が載置されて、フローティング支持されている。このドライブユニット９は、図４及び図５に示すように、ベースプレート１３と、このベースプレート１３の後端部の両側にヒンジ１５で連結され、先端１７Ａを閉じる方向にばね付勢したスイングプレート１７とを備えて構成されている。このスイングプレート１７の先端１７Ａには回転板１９が支持され、この回転板１９に対向するマグネット入りのターンテーブル２１が、ベースプレート１３に支持されている。そして、後述するように、ディスクが挿入されて、スイングプレート１７が閉じると、先端１７Ａの回転板１９とマグネット入りのターンテーブル２１とで挟持されてディスクが回転可能になる。
【００１４】
図１に示すように、本体１の前面には横長のディスクの挿入口２３が形成され、この挿入口２３の奥には、図２に示すように、ロアーシャーシ５の前部のモータ２４で駆動されるローディングローラ２５が設けられている。
このローディングローラ２５は、ディスクが検知されると、モータ２４により駆動されて、当該ディスクを本体１内に引き込む。このローディングローラ２５は、ローラ支持板２７に支持され、このローラ支持板２７の基部は、ヒンジピン２８によりロアーシャーシ５に連結されている。よって、このローディングローラ２５は、ローラ支持板２７の揺動により、その高さ位置を変位させる。
【００１５】
ドライブユニット９の上面の左後部には支持ピン３０を介してトリガープレート３１が揺動自在に支持されている。このトリガープレート３１は、ばね３１Ｓにより、反時計方向に付勢されており、その一端３１Ａには、ドライブユニット９の内方に折り曲げられた、２つの爪部３２，３３が各々一体に形成されている。一方の爪部３２には、引き込まれた８ｃｍディスクが当接可能であり、他方の爪部３３には、引き込まれた１２ｃｍディスクが当接可能である。トリガープレート３１の他端３１Ｂは、ドライブユニット９の外側に延出し、ドライブユニット９の外壁に沿って下方に折り曲げられている。この他端３１Ｂは、ロアーシャーシ５に配置されたトリガー３５の後面３５Ｋに当接する。そして、ディスクが本体１に引き込まれ、爪部３２，３３のいずれかに当接し、トリガープレート３１が反時計方向に回動すると、このトリガープレート３１が、トリガー３５を前進（矢印Ｘの方向）させる。このトリガー３５は、図４に示すように、ばね３４により、通常時、他端３１Ｂ側（矢印Ｙの方向）に付勢されている。
【００１６】
このトリガー３５の一部は、ロアーシャーシ５の底部を前方に延出し、この延出部の上面にはトリガーラックギア３５Ａが一体に形成されている。このトリガーラックギア３５Ａの前方には、ロアーシャーシ５の側板５Ａに支持されたファイナルギア３７（図３参照）が配置されている。このファイナルギア３７は、通常時にトリガーラックギア３５Ａに噛み合わない位置に支持されており、トリガープレート３１が回動して、トリガー３５が前進したときにのみ、トリガーラックギア３５Ａに噛み合う。ファイナルギア３７は、図２に示すように、複数のギアからなるギア輪列３８を介して、ロアーシャーシ５の前部の上記モータ２４に連結されており、モータ２４の駆動時に、トリガーラックギア３５Ａとファイナルギア３７とが一旦噛み合うと、それ以後は、ファイナルギア３７、モータ２４の駆動力でトリガー３５が前進する。
【００１７】
このトリガー３５には、図４に示すように、トリガーカム４１が一体に連結されている。このトリガーカム４１は、ギア輪列３８の内側を当該ギア輪列３８と平行に延出し、その中程の上面には前方が徐々に、階段状に高くなるカム面４１Ａが形成され、その先端部にはローディングローラ２５の駆動軸２５Ａ（図２参照）を案内する前上がりの階段状の傾斜溝４１Ｂが形成されている。カム面４１Ａには、ドライブユニット９のスイングプレート１７の一部１７Ｂが当接している。
トリガー３５がファイナルギア３７に噛み合い、ストロークエンドに移動した後、トリガーカム４１を押し出し、トリガーカム４１のラックがファイナルギア３７と噛み合い、トリガーカム４１が前進（矢印Ｘの方向）する。
【００１８】
トリガーカム４１が前進（矢印Ｘの方向）すると、上記一部１７Ｂが当接しているカム面４１Ａが徐々に低くなって、スイングプレート１７が、ばね力で閉じる方向に揺動する。さらにトリガーカム４１が前進して前進限界の位置に移動すると、一部１７Ｂがカム面４１Ａから完全に離れ、スイングプレート１７の先端の回転板１９と、ターンテーブル２１とによるディスクのクランプが完了する。それと同時に、スイングプレート１７の一部１７Ｂとカム面４１Ａとの係合解除によって、ドライブユニット９が、３つの防振構造体１１を介して完全にフローティング支持される。また、同時に、ローディングローラ２５の駆動軸２５Ａが、傾斜溝４１Ｂに沿って低い位置に移動し、ローラ支持板２７の揺動により、ローディングローラ２５が低く変位し、このローディングローラ２５が、クランプ時のディスクの下面から離れる。この状態において、ターンテーブル２１を回転させてディスクの再生が行われる。
【００１９】
モータ２４を逆回転させると、ギア輪列３８、ファイナルギア３７及びトリガーラックギア３５Ａを介して、トリガー３５及びトリガーカム４１が後退（矢印Ｙの方向）する。それに伴って、上記一部１７Ｂが当接しているカム面４１Ａが徐々に高くなり、スイングプレート１７が、ばね力に抗して押し上げられて開く方向に揺動する。さらに後退してトリガーカム４１が後退限界の位置に移動すると、一部１７Ｂがカム面４１Ａの最も高い位置に乗り上げて、スイングプレート１７の先端の回転板１９と、ターンテーブル２１との間にディスク挿入用の隙間を形成する。
【００２０】
それと同時に、ローディングローラ２５の駆動軸２５Ａが、傾斜溝４１Ｂに沿って徐々に高い位置に移動し、後退限界の位置では、ローラ支持板２７の揺動により、ローディングローラ２５が、ディスクの下面に接触するまで高く変位する。そして、このディスクはローディングローラ２５によりイジェクトされる。
ディスクをイジェクトした後に、ローディング待機の状態となる。イジェクトもしくはローディング待機の状態では、ドライブユニット９が、図示を省略した機構によりロアーシャーシ５にロックされる。
【００２１】
図６は、アッパーシャーシの上面図である。
本構成では、図１に示すように、挿入されるディスクの外周部に当接して当該挿入口２３の側方に退避する一対のゲート部材５９を、ディスクの挿入口２３に備えて構成されている。
このゲート部材５９は、挿入口２３に対しほぼ中心振り分けで配置された一対のターンプレート６２，６３を備え、これらターンプレート６２，６３は、図６に示すように、アッパーシャーシ７の前部外面に、各々ピン（支持部材）６４，６５を介して連結されている。ターンプレート６２，６３は、ばね６０，６１により、閉じる方向（矢印Ａの方向）に付勢され、このターンプレート６２，６３には、挿入口２３に臨む一対のゲートピン６７，６８が取り付けられている。
【００２２】
また、ターンプレート６２，６３の基部にはスライド孔６２Ａ，６３Ａがあけられ、このスライド孔６２Ａ，６３Ａに嵌るピン７１，７２が、連結プレート７３に各々取り付けられている。これらターンプレート６２，６３の基部同士は、連結プレート７３で連結されている。この連結プレート７３にはピン１７３が固定され、このピン１７３は、図９に示すように、アッパーシャーシ７の縦孔１０７に嵌り、アッパーシャーシ７の下面に臨んでいる。縦孔１０７の中程の両孔壁には、縦孔１０７の幅Ｗよりも拡径した円弧溝１０７Ａ，１７０Ｂが形成されている。
さらにターンプレート６２は、図１に示したローディングスイッチＳＷＡおよびリローディングスイッチＳＷＢに当接し、オン状態とするための突起部６２Ｘと、オン状態を維持するためにローディングスイッチＳＷＡおよびリローディングスイッチＳＷＢに摺動可能に当接する摺動部６２Ｙと、を備えている。この構成により、リローディングスイッチＳＷＢがオン状態にある場合には、摺動部６２ＹによりローディングスイッチＳＷＡは常時オンとなるようにされている。
また、図６に示すように、この連結プレート７３には、ディスクの挿入方向（矢印Ｚの方向）に延びた一対のガイド孔７４，７５が形成され、このガイド孔７４，７５に嵌る案内部７６，７７は、アッパーシャーシ７の一部を切り起こして、上方に立ち上げた後、水平に曲げて形成され、この立ち上げた細い部分がガイド孔７４，７５に嵌る。７８はアッパーシャーシ７に取り付けられたプレートであり、このプレート７８はターンプレート６２，６３の閉じ方向のストッパとして機能する。
【００２３】
図７は、１２ｃｍディスクで一対のゲート部材を開いた状態を示す斜視図である。
ディスクが挿入口２３に挿入された場合、ディスクは、上記ゲートピン６７，６８を側方に押し退ける。例えば、１２ｃｍ径の大きいディスク１００が挿入されると、図７に示すように、ディスク１００の外周部１００Ａが、一対のゲートピン６７，６８を挿入口２３の側方に押し退け、ターンプレート６２，６３が開く方向（矢印Ｂの方向）に回動する。この回動に伴い、ピン７１，７２が、スライド孔６２Ａ，６３Ａの中を移動し、これにより、ターンプレート６２，６３の揺動に連動し、連結プレート７３が、案内部７６，７７に沿ってディスク挿入方向（矢印Ｚの方向）に往復移動する。
【００２４】
図８は、８ｃｍディスクで一対のゲート部材を開いた状態を示す斜視図である。
この場合には、挿入口２３の幅に比してディスク径が小さいため、挿入口２３の一方の端に偏って挿入される恐れがある。例えば、ディスク２００が一方のゲートピン６７の側に偏って挿入された場合、他方のゲートピン６８をほとんど押し退けずに、一方のピン６７だけを押し退けた状態になる。この場合には、一方のゲートピン６７の側のターンプレート６２だけが開く方向（矢印Ｂの方向）に回動する。
【００２５】
本構成では、他方のターンプレート６３が開かないで、一方のターンプレート６２だけが開く場合、連結プレート７３は、ピン７２の側が回動せずに、ピン７１の側だけが回動する。この場合、連結プレート７３が斜めになる。
【００２６】
この連結プレート７３が斜めになると、図９Ｂを参照し、縦孔１０７を移動するピン１７３が、縦孔１０７の途中で傾いた方のいずれかの円弧溝１０７Ａ，１０７Ｂに嵌り、連結プレート７３が、それ以上、ディスク２００の挿入方向（矢印Ｚの方向）に移動しなくなり、従って、ターンプレート６２，６３のそれ以上の回動が阻止されて、ディスクの挿入が阻止される。この状態は、ディスク２００が他方のゲートピン６８の側に偏って挿入された場合も同様である。なお、ピン１７３及び円弧溝１０７Ａ，１０７Ｂがターンプレート６２，６３のロック手段を構成している。
【００２７】
すなわち、本構成では、挿入口２３の端に偏ってディスク２００が挿入された場合、ピン１７３が円弧溝１０７Ａ，１０７Ｂに引っかかって抵抗となり、連結プレート７３がロックされる。これによれば、いわゆる挿入口２３の端に偏ったディスクの挿入が禁止される。従って、従来のような、片側に寄った状態で吸い込まれたディスクを本体の内側で中央に案内するための機構が不要になり、その分、装置を小型化でき、特に装置の厚さ方向の寸法を小さくできる。
【００２８】
図９は、アッパーシャーシ７を裏側から見た斜視図である。
本実施の形態では、アッパーシャーシ７の内面に、アッパーシャーシ７の組み付け時に下方（ローディングローラ２５に相対する側）に突出して、挿入口２３に挿入されたディスクを下方（または上方）に案内する、２列に延びるガイドバー（案内機構）８１，８２が設けられている。
【００２９】
これらガイドバー８１，８２は、挿入口２３の横方向に相互に平行に延出し、各々が、挿入口２３の端に向けて高さを徐々に大きくする。手前のガイドバー８１は、中心に近い位置ｍから突部８１Ａの高さを徐々に大きくし、奥のガイドバー８２は、それよりも端に寄った位置ｎから突部８２Ａの高さを徐々に大きくする。一対のガイドバー８１，８２にはローディングローラ２５が対向し、このローラ２５とガイドバー８１，８２とに挟持されて、ディスクがローディングされる。
【００３０】
図１０は、８ｃｍ径のディスクを挿入した場合の断面図である。
図１１は、８ｃｍ径のディスクを挿入した場合の斜視図である。
図１２は、１２ｃｍ径のディスクを挿入した場合の断面図である。
図１３は、１２ｃｍ径のディスクを挿入した場合の斜視図である。
図１０に示すように、８ｃｍ径のディスク２００を挿入した場合、挿入口２３から挿入されたディスク２００は、ローディングローラ２５と、各ガイドバー８１，８２の低い突部８１Ａ，８２Ａとの間に挟持されて、本体１の内側の高所に位置する第１のローディング経路ＲＫ１に沿って、本体１の奥にローディングされる。第１のローディング経路ＲＫ１の終端部には、第１のディスク当接部８３が位置し、ディスク２００は、第１のディスク当接部８３に当接して停止し、この段階でディスク２００が、図１１に示すように、トリガープレート３１の爪部３２を押動し、これをトリガーに、上述したように、ディスク２００のクランプ動作が実行される。
【００３１】
図１２に示すように、１２ｃｍ径のディスク１００を挿入した場合、挿入口２３から挿入されたディスク１００は、ローディングローラ２５と、各ガイドバー８１，８２の高くなった突部８１Ａ，８２Ａとの間に挟持されて、本体１の内側の低所に位置する第２のローディング経路ＲＫ２に沿って、本体１の奥にローディングされる。
図１３に示すように、１２ｃｍ径のディスク１００の外周（図中右奥）にはガイドバー３３１が当接可能に形成されている。このガイドバー３３１はピン３１０により回動自在に支持され、ばね３１２を介して、ピン３１０回りを時計方向に付勢されている。
【００３２】
図１１に示すように、ガイドバー３３１の自由端の下面には、奥下がりのテーパ面３１３が形成され、１２ｃｍ径のディスク１００が挿入されると、まず、このテーパ面３１３に沿ってディスク１００の先端１００Ａが下方に向けられ、トリガープレート３１の爪部３２が交わされる。そして、ディスク１００がさらに奥に進入すると、ガイドバー３３１が、ピン３１０回りを反時計方向に回動し、このガイドバー３３１がディスク１００の外周をガイドしつつ、安定したローディングが実行される。第２のローディング経路ＲＫ２の終端部には、第２のディスク当接部８４が位置しており、ディスク１００は、第２のディスク当接部８４に当接して停止して、この段階でディスク１００が、図１３に示すように、トリガープレート３１の爪部３３を押動し、これをトリガーにして、上述したように、ディスク１００のクランプ動作が実行される。このクランプが完了すると、上記ガイドバー３３１の下面の突起３１４が、スイングプレート１７側の窪み（図示せず）に嵌合し、このガイドバー３３１が、ディスク１００の外周から離れて固定される。従って、演奏時に、ガイドバー３３１がディスク１００に接触することがない。
【００３３】
本構成では、本体１の内側に上下に分けて異なるローディング経路ＲＫ１、ローディング経路ＲＫ２を形成したため、従来のように、ローディング経路の終端部に、径の異なるディスクを保持するための複雑な機構を設ける必要がなくなり、装置の薄型化を実現することができる。また、本構成は、例えば材質等が異なるディスクをローディングするディスクプレーヤにも適用でき、この場合、ローディング経路に材質等に応じた工夫を施せば、ディスクに傷等のつかないものが提供される。
【００３４】
次により具体的なディスクローディング動作について説明する。
図１４は、制御系のブロック図である。
制御系は、全体を制御するコントローラ１１０と、ディスクのローディング位置を検出するローディングスイッチＳＷＡ、ディスクのリローディング位置を検出する里ローディングスイッチＳＷＢおよびディスクチャッキング位置を検出するチャッキングスイッチＳＷＣと、ディスクをローディングするためのローディングモータ２４と、を備えている。
図１５は、ディスクローディング時の処理フローチャート（その１）である。図１６は、ディスクローディング時の処理フローチャート（その２）である。
図１７は、ディスクローディング前の初期状態の説明図である。
【００３５】
まず、コントローラ１１０は、ディスクが挿入されターンプレート６２が回動することによって、突起部６２Ｘ、摺動部６２ＹによりローディングスイッチＳＷＡがオン状態であるか否かを判別する（ステップＳ１１）。
ステップＳ１１の判別において、ローディングスイッチＳＷＡがオフ状態である場合には（ステップＳ１１；Ｎｏ）、いまだディスクが挿入されていないので、コントローラ１１０は、待機状態となる。
ステップＳ１１の判別において、ターンプレート６２のローディングスイッチＳＷＡがオン状態である場合には（ステップＳ１１；Ｙｅｓ）、ディスクが挿入された状態であるので、コントローラ１１０は、5ｓｅｃタイマをセットする（ステップＳ１２）。
続いてコントローラ１１０は、ローディングモータ２４をロード方向（ディスク挿入方向）に回転するモータ回転処理を行う（ステップＳ１３）。
さらにコントローラ１１０は、突起部６２Ｘ、摺動部６２ＹによりリローディングスイッチＳＷＢがオン状態であるか否かを判別する（ステップＳ１４）。
【００３６】
ステップＳ１４の判別において、リローディングスイッチＳＷＢがオフ状態である場合には（ステップＳ１３；Ｎｏ）、コントローラ１１０は、5ｓｅｃタイマがタイムアウトになっているか否かを判別する（ステップＳ１５）。
ステップＳ１５の判別において、5ｓｅｃタイマがタイムアウトになっている場合には（ステップＳ１５；Ｙｅｓ）、コントローラ１１０は、ディスクのローディングに失敗したので、後述するフルイジェクト処理に移行する（ステップＳ１７）。
ステップＳ１５の判別において、未だ5ｓｅｃタイマがタイムアウトになっていない場合には（ステップＳ１５；Ｎｏ）、コントローラ１１０は、再びローディングスイッチＳＷＡがオン状態であるか否かを判別する（ステップＳ１６）。
ステップＳ１６の判別において、ローディングスイッチＳＷＡがオフ状態である場合には（ステップＳ１６；Ｙｅｓ）、コントローラ１１０は、ディスクのローディングに失敗したので、後述するフルイジェクト処理に移行する（ステップＳ１７）。
【００３７】
図１８は、ディスクローディング直後の説明図である。
ステップＳ１６の判別において、図１８に示すように、ディスク１００（または２００）が挿入されて、一対のゲートピン６７，６８が挿入口２３の側方に押しのけられ、ターンプレート６２によりローディングスイッチＳＷＡがオン状態とされた場合には（ステップＳ１６；Ｎｏ）、コントローラ１１０は、処理を再びステップＳ１４に移行する。
ステップＳ１４の判別において、リローディングスイッチＳＷＢがオン状態である場合には（ステップＳ１４；Ｙｅｓ）、コントローラ１１０は、挿入されたディスクは１２ｃｍディスクであるので、１２ｃｍディスク判定フラグをセットし（ステップＳ１８）、ふたたび5ｓｅｃタイマをセットする（ステップＳ１９）。
【００３８】
図１９は、１２ｃｍディスクをローディングしている場合の説明図である。
さらにコントローラ１１０は、リローディングスイッチＳＷＢがオフ状態であるか否かを判別する（ステップＳ２０）。
ステップＳ２０の判別において、リローディングスイッチＳＷＢがオン状態である場合には（ステップＳ２０；Ｎｏ）、すなわち、挿入されているディスクが１２ｃｍディスクである場合には、コントローラ１１０は、5ｓｅｃタイマがタイムアウトになっているか否かを判別する（ステップＳ２１）。
ステップＳ２１の判別において、未だ5ｓｅｃタイマがタイムアウトになっていない場合には（ステップＳ２１；Ｎｏ）、コントローラ１１０は、再び処理をステップＳ２０に移行する。
【００３９】
ステップＳ２１の判別において、5ｓｅｃタイマがタイムアウトになっている場合には（ステップＳ２１；Ｙｅｓ）、コントローラ１１０は、後述するローディングリトライ処理に移行する（ステップＳ２２）。
ステップＳ２０の判別において、リローディングスイッチＳＷＢがオフ状態である場合には（ステップＳ２０；Ｙｅｓ）、ディスクのローディングが成功した場合であるので、コントローラ１１０は、ふたたび5ｓｅｃタイマをセットする（ステップＳ１９）。
さらにコントローラ１１０は、ローディングスイッチＳＷＡがオフ状態であるか否かを判別する（ステップＳ２４）。
ステップＳ２４の判別において、ローディングスイッチＳＷＡがオン状態である場合には（ステップＳ２４；Ｎｏ）、コントローラ１１０は、5ｓｅｃタイマがタイムアウトになっているか否かを判別する（ステップＳ２５）。
【００４０】
ステップＳ２５の判別において、未だ5ｓｅｃタイマがタイムアウトになっていない場合には（ステップＳ２５；Ｎｏ）、コントローラ１１０は、再び処理をステップＳ２４に移行する。
ステップＳ２５の判別において、5ｓｅｃタイマがタイムアウトになっている場合には（ステップＳ２５；Ｙｅｓ）、コントローラ１１０は、後述するローディングリトライ処理に移行する（ステップＳ２６）。
ステップＳ２４の判別において、ローディングスイッチＳＷＡがオフ状態である場合には（ステップＳ２４；Ｙｅｓ）、コントローラ１１０は、ふたたび5ｓｅｃタイマをセットする（ステップＳ２７）。
さらにコントローラ１１０は、チャッキングスイッチＳＷＣがオン状態であるか否かを判別する（ステップＳ２８）。
【００４１】
ステップＳ２８の判別において、チャッキングスイッチＳＷＣがオフ状態である場合には（ステップＳ２８；Ｎｏ）、コントローラ１１０は、5ｓｅｃタイマがタイムアウトになっているか否かを判別する（ステップＳ２９）。
ステップＳ２９の判別において、未だ5ｓｅｃタイマがタイムアウトになっていない場合には（ステップＳ２９；Ｎｏ）、コントローラ１１０は、再び処理をステップＳ２８に移行する。
ステップＳ２９の判別において、5ｓｅｃタイマがタイムアウトになっている場合には（ステップＳ２９；Ｙｅｓ）、コントローラ１１０は、後述するローディングリトライ処理に移行する（ステップＳ３０）。
図２０は、ディスクが正常位置にローディングされた場合の説明図である。
ステップＳ２８の判別において、チャッキングスイッチＳＷＣがオン状態である場合には（ステップＳ２８；Ｙｅｓ）、図２０に示すように、ディスクが正常位置にローディングされたと言うことであるので、コントローラ１１０は、ローディングモータ２４を停止する処理を行う（ステップＳ３１）。
【００４２】
次にコントローラ１１０は、ディスク径データの保存が完了したか否かを判別し（ステップＳ３２）、いまだディスク径データの保存が完了していない場合には（ステップＳ３２；Ｎｏ）、待機状態となる。
ステップＳ３２の判別において、ディスク径データの保存が完了した場合には（ステップＳ３２；Ｙｅｓ）、コントローラ１１０はディスクのチャッキングを行い処理を終了する（ステップＳ３３）。
【００４３】
次に、ローディングリトライ処理について説明する。
図２１は、ディスクのローディングリトライ処理時の説明図である。
図２２は、ローディングリトライ処理の処理フローチャート（その１）である。図２３は、ローディングリトライ処理の処理フローチャート（その２）である。
ローディングリトライ処理に移行した場合には、すなわち、ディスクのローディングに失敗した場合には、コントローラ１１０は、ローディングモータ２４の停止処理を行う（ステップＳ４１）
続いてコントローラ１１０は、５００ｍｓｅｃ待機し（ステップＳ４２）、ディスクを排出方向（イジェクト方向）に搬送すべく、ローディングモータ２４をイジェクト方向に回転させる（ステップＳ４３）。
続いてコントローラ１１０は、5ｓｅｃタイマをセットする（ステップＳ４４）。
次にコントローラ１１０は、ディスクが図２１に示す位置まで搬送され、リローディングスイッチＳＷＢがオフ状態であるか否かを判別する（ステップＳ４５）。
【００４４】
ステップＳ４５の判別において、リローディングスイッチＳＷＢがオン状態である場合には（ステップＳ４５；Ｎｏ）、コントローラ１１０は、5ｓｅｃタイマがタイムアウトになっているか否かを判別する（ステップＳ４６）。
ステップＳ４６の判別において、未だ5ｓｅｃタイマがタイムアウトになっていない場合には（ステップＳ４６；Ｎｏ）、コントローラ１１０は、再び処理をステップＳ４５に移行する。
ステップＳ４６の判別において、5ｓｅｃタイマがタイムアウトになっている場合には（ステップＳ４６；Ｙｅｓ）、コントローラ１１０は、処理をステップＳ４７に移行する。
ステップＳ４５の判別において、リローディングスイッチＳＷＢがオフ状態である場合には（ステップＳ４５；Ｙｅｓ）、コントローラ１１０は、ローディングモータ２４の停止処理を行う（ステップＳ４７）。
【００４５】
続いてコントローラ１１０は、５００ｍｓｅｃ待機し（ステップＳ４８）、ディスクをローディング方向に搬送すべく、ローディングモータ２４をロード方向に回転させる（ステップＳ４９）。
続いてコントローラ１１０は、5ｓｅｃタイマをセットする（ステップＳ５０）。
次にコントローラ１１０は、リローディングスイッチＳＷＢがオン状態であるか否かを判別する（ステップＳ５１）。
ステップＳ５１の判別において、リローディングスイッチＳＷＢがオフ状態である場合には（ステップＳ５１；Ｎｏ）、コントローラ１１０は、5ｓｅｃタイマがタイムアウトになっているか否かを判別する（ステップＳ５２）。
【００４６】
ステップＳ５２の判別において、未だ5ｓｅｃタイマがタイムアウトになっていない場合には（ステップＳ５２；Ｎｏ）、コントローラ１１０は、再び処理をステップＳ５１に移行する。
ステップＳ５２の判別において、5ｓｅｃタイマがタイムアウトになっている場合には（ステップＳ５２；Ｙｅｓ）、コントローラ１１０は、リトライカウンタ（本実施形態では、初期値＝３）を減算し（ステップＳ５３）、所定回数（本実施形態では３回）のローディングリトライがなされたか否かを判別する（ステップＳ５４）。具体的には、コントローラ１１０は、リトライカウンタの値＝０となっているか否かに基づいて所定回数のローディングリトライがなされたかを判別している。
ステップＳ５４の判別において、未だ所定回数のローディングリトライがなされていない場合には（ステップＳ５４；Ｎｏ）、コントローラ１１０は再び処理をステップＳ４１に移行して、以下、同様の処理を行う。
【００４７】
ステップＳ５４の判別において、所定回数のローディングリトライがなされた場合には（ステップＳ５４；Ｙｅｓ）、コントローラ１１０は、機械的にローディング行えなかったことを示すメカエラーフラグをセットして（ステップＳ５５）、ディスクを排出すべく、後述するフルイジェクト処理に処理を移行する（ステップＳ５６）。
ステップＳ５１の判別において、リローディングスイッチＳＷＢがオン状態である場合には（ステップＳ５１；Ｙｅｓ）、コントローラ１１０は、5ｓｅｃタイマをセットする（ステップＳ５７）。
次にコントローラ１１０は、リローディングスイッチＳＷＢがオフ状態であるか否かを判別する（ステップＳ５８）。
ステップＳ５８の判別において、リローディングスイッチＳＷＢがオン状態である場合には（ステップＳ５８；Ｎｏ）、コントローラ１１０は、5ｓｅｃタイマがタイムアウトになっているか否かを判別する（ステップＳ５９）。
【００４８】
ステップＳ５９の判別において、未だ5ｓｅｃタイマがタイムアウトになっていない場合には（ステップＳ５９；Ｎｏ）、コントローラ１１０は、再び処理をステップＳ５８に移行する。
ステップＳ５９の判別において、5ｓｅｃタイマがタイムアウトになっている場合には（ステップＳ５９；Ｙｅｓ）、コントローラ１１０は、リトライカウンタを減算し（ステップＳ６０）、所定回数のローディングリトライがなされたか否かを判別する（ステップＳ６１）。
ステップＳ６１の判別において、未だ所定回数のローディングリトライがなされていない場合には（ステップＳ６１；Ｎｏ）、コントローラ１１０は再び処理をステップＳ４１に移行して、以下、同様の処理を行う。
【００４９】
ステップＳ６１の判別において、所定回数のローディングリトライがなされた場合には（ステップＳ６１；Ｙｅｓ）、コントローラ１１０は、機械的にローディング行えなかったことを示すメカエラーフラグをセットして（ステップＳ６２）、ディスクを排出すべく、後述するフルイジェクト処理に処理を移行する（ステップＳ６３）。
ステップＳ５８の判別において、リローディングスイッチＳＷＢがオフン状態である場合には（ステップＳ５８；Ｙｅｓ）、続いてコントローラ１１０は、5ｓｅｃタイマをセットする（ステップＳ６４）。
【００５０】
次にコントローラ１１０は、チャッキングスイッチＳＷＣがオン状態であるか否かを判別する（ステップＳ６５）。
ステップＳ６５の判別において、チャッキングスイッチＳＷＣがオフ状態である場合には（ステップＳ６５；Ｎｏ）、コントローラ１１０は、5ｓｅｃタイマがタイムアウトになっているか否かを判別する（ステップＳ６６）。
ステップＳ６６の判別において、未だ5ｓｅｃタイマがタイムアウトになっていない場合には（ステップＳ６６；Ｎｏ）、コントローラ１１０は、再び処理をステップＳ６５に移行する。
ステップＳ６６の判別において、5ｓｅｃタイマがタイムアウトになっている場合には（ステップＳ６６；Ｙｅｓ）、コントローラ１１０は、リトライカウンタを減算し（ステップＳ６７）、所定回数のローディングリトライがなされたか否かを判別する（ステップＳ６８）。
【００５１】
ステップＳ６８の判別において、未だ所定回数のローディングリトライがなされていない場合には（ステップＳ６８；Ｎｏ）、コントローラ１１０は再び処理をステップＳ４１に移行して、以下、同様の処理を行う。
ステップＳ６８の判別において、所定回数のローディングリトライがなされた場合には（ステップＳ６８；Ｙｅｓ）、コントローラ１１０は、機械的にローディング行えなかったことを示すメカエラーフラグをセットして（ステップＳ６９）、ディスクを排出すべく、後述するフルイジェクト処理に処理を移行する（ステップＳ７０）。
ステップＳ６５の判別において、チャッキングスイッチＳＷＣがオン状態である場合には（ステップＳ６５；Ｙｅｓ）、ディスクが正常位置にローディングされたと言うことであるので、コントローラ１１０は、ローディングモータ２４を停止する処理を行う（ステップＳ７１）。
【００５２】
次にコントローラ１１０は、ディスク径データの保存が完了したか否かを判別し（ステップＳ７２）、いまだディスク径データの保存が完了していない場合には（ステップＳ７２；Ｎｏ）、待機状態となる。
ステップＳ７２の判別において、ディスク径データの保存が完了した場合には（ステップＳ７２；Ｙｅｓ）、コントローラ１１０はディスクのチャッキングを行い処理を終了する（ステップＳ７３）。
【００５３】
次にフルイジェクト処理について説明する。
図２４は、フルイジェクト処理の処理フローチャート（その１）である。図２５は、フルイジェクト処理の処理フローチャート（その２）である。
フルイジェクト処理に移行すると、まず、コントローラ１１０は、ローディングモータ２４をイジェクト方向に回転する（ステップＳ８１）。
次にコントローラ１１０は、ディスク非挿入時（ＮＯＤＩＳＣ）時にイジェクトコマンドがなかったか否かを判別する（ステップＳ８２）。
ステップＳ８２の判別において、ディスク非挿入（ＮＯＤＩＳＣ）時にイジェクトコマンドがなかった場合には（ステップＳ８２；Ｙｅｓ）、コントローラ１１０はローディングスイッチＳＷＡがオフ、すなわち、ディスク非挿入（ＮＯＤＩＳＣ）状態であるか否かを判別する（ステップＳ８３）。
【００５４】
ステップＳ８３の判別において、ローディングスイッチＳＷＡがオン、すなわち、ディスク挿入状態である場合には（ステップＳ８３；Ｎｏ）、処理をステップＳ８９に移行する。
ステップＳ８３の判別において、ローディングスイッチＳＷＡがオフ、すなわち、ディスク非挿入（ＮＯＤＩＳＣ）状態である場合には、コントローラ１１０は、２秒タイマをセットする（ステップＳ８４）。
続いてコントローラ１１０は、２秒タイマがタイムアウトになったか否かを判別し（ステップＳ８５）、タイムアウトしていない場合には待機状態となる。
ステップＳ８５の判別において、２秒タイマがタイムアウトになった場合には（ステップＳ８５；Ｙｅｓ）、コントローラ１１０は、ローディングモータ２４の停止処理を行い（ステップＳ８６）、処理をステップＳ９４に移行する。
【００５５】
一方、ステップＳ８２の判別において、ディスク非挿入時（ＮＯＤＩＳＣ）時にイジェクトコマンドがあった場合には（ステップＳ８２；Ｎｏ）、ローディングスイッチＳＷＡがオフ、すなわち、ディスク非挿入（ＮＯＤＩＳＣ）状態であるか否かを判別する（ステップＳ８７）。
ステップＳ８７の判別において、ローディングスイッチＳＷＡがオン、すなわち、ディスク挿入状態である場合には（ステップＳ８７；Ｎｏ）、コントローラ１１０は、再び処理をステップＳ８２に移行する。
ステップＳ８７の判別において、ローディングスイッチＳＷＡがオフ、すなわち、ディスク非挿入（ＮＯＤＩＳＣ）状態である場合には、コントローラ１１０は、フォトセンサオフまたは８ｃｍディスク誤検出フラグをオフであるかを判別する（ステップＳ８８）。
【００５６】
ステップＳ８８の判別において、フォトセンサまたは８ｃｍディスク誤検出フラグのいずれもオンである場合には（ステップＳ８８；Ｎｏ）、コントローラ１１０は処理をステップＳ８４に移行する。
ステップＳ８８の判別において、フォトセンサオフまたは８ｃｍディスク誤検出フラグをオフである場合には、５００ｍｓｅｃタイマをセットする（ステップＳ８９）。
続いてコントローラ１１０は、５００ｍｓｅｃタイマがタイムアウトになったか否かを判別し（ステップＳ９０）、タイムアウトしていない場合には待機状態となる。
ステップＳ９０の判別において、５００ｍｓｅｃタイマがタイムアウトになった場合には（ステップＳ９０；Ｙｅｓ）、コントローラ１１０は、２秒タイマをセットする（ステップＳ９１）。
【００５７】
続いてコントローラ１１０は、２秒タイマがタイムアウトになったか否かを判別し（ステップＳ９２）、タイムアウトしていない場合には待機状態となる。
ステップＳ９２の判別において、２秒タイマがタイムアウトになった場合には（ステップＳ９２；Ｙｅｓ）、コントローラ１１０は、ローディングモータ２４の停止処理を行い（ステップＳ９３）、ローディングスイッチＳＷＡがオフ、すなわち、ディスク非挿入（ＮＯＤＩＳＣ）状態であるか否かを判別する（ステップＳ９４）。
ステップＳ９４の判別において、ローディングスイッチＳＷＡがオン、すなわち、ディスク挿入状態である場合には（ステップＳ８７；Ｎｏ）、コントローラ１１０は、イジェクト状態であると判別して処理を終了する（ステップＳ９８）。
ステップＳ９４の判別において、ローディングスイッチＳＷＡがオフ、すなわち、ディスク非挿入（ＮＯＤＩＳＣ）状態である場合には、コントローラ１１０は、フォトセンサオフまたは８ｃｍディスク誤検出フラグをオフであるかを判別する（ステップＳ９５）。
【００５８】
ステップＳ９５の判別において、フォトセンサまたは８ｃｍディスク誤検出フラグのいずれもオンである場合には（ステップＳ９５；Ｎｏ）、コントローラ１１０は、イジェクト状態であると判別して処理を終了する（ステップＳ９８）。
ステップＳ９５の判別において、フォトセンサオフまたは８ｃｍディスク誤検出フラグをオフである場合には、ディスク非挿入（ＮＯＤＩＳＣ）状態であるとして（ステップＳ９６）、ディスク径データをクリアして処理を終了する（ステップＳ９７）。
【００５９】
以上の説明のように、本実施形態によれば、挿入口に一対のゲート部材を設け、ローディングに伴うゲート部材の回動角の時間的変化に基づくディスクの外形寸法から機械的にディスクの径を判別することができ、一般的なディスクのみならず、一部が透明なディスクであっても確実にディスク径を検出することができ、確実な再生制御が行える。
以上の説明は再生装置の場合であったが、同様に記録再生装置であっても適用が可能である。
以上の説明では、８ｃｍディスクおよび１２ｃｍディスクの場合についてのみ説明したが、同様の手法により他の寸法のディスクであっても適用が可能である。また、３種類以上の径のディスクであっても同様に適用が可能である。
【図面の簡単な説明】
【００６０】
【図１】本発明に係るディスクプレーヤの一実施の形態を示す斜視図である。
【図２】アッパーシャーシを取り外した斜視図である。
【図３】ロアーシャーシの斜視図である。
【図４】ロアーシャーシにドライブユニットを取り付けた左方視の斜視図である。
【図５】ロアーシャーシにドライブユニットを取り付けた右方視の斜視図である。
【図６】一対のゲート部材を示す斜視図である。
【図７】１２ｃｍディスクで一対のゲート部材を開いた状態を示す斜視図である。
【図８】８ｃｍディスクで一対のゲート部材を開いた状態を示す斜視図である。
【図９】Ａはアッパーシャーシを裏側から見た斜視図、Ｂは縦孔を示す図である。
【図１０】８ｃｍディスクを挿入した場合の断面図である。
【図１１】８ｃｍディスクを挿入した場合の斜視図である。
【図１２】１２ｃｍディスクを挿入した場合の断面図である。
【図１３】１２ｃｍディスクを挿入した場合の斜視図である。
【図１４】制御系のブロック図である。
【図１５】ディスクローディング時の処理フローチャート（その１）である。
【図１６】ディスクローディング時の処理フローチャート（その２）である。
【図１７】ディスクローディング前の初期状態の説明図である。
【図１８】ディスクローディング直後の説明図である。
【図１９】１２ｃｍディスクをローディングしている場合の説明図である。
【図２０】ディスクが正常位置にローディングされた場合の説明図である。
【図２１】ディスクのローディングリトライ処理時の説明図である。
【図２２】ローディングリトライ処理の処理フローチャート（その１）である。
【図２３】ローディングリトライ処理の処理フローチャート（その２）である。
【図２４】フルイジェクト処理の処理フローチャート（その１）である。
【図２５】フルイジェクト処理の処理フローチャート（その２）である。
【符号の説明】
【００６１】
１  本体
３  シャーシ
５  ロアーシャーシ
７  アッパーシャーシ
２３  挿入口
５９  ゲート部材
６２，６３  ターンプレート
６２Ｘ  突起部
６２Ｙ  摺動部
６４，６５  ピン（支持部材）
６７，６８  ゲートピン
７３  連結プレート
７４，７５  ガイド孔
７６，７７  案内部
８１，８２  ガイドバー
８３，８５  ディスク当接部
１００，２００  ディスク
１０７Ａ，１７０Ｂ  円弧溝
１１０  コントローラ（ディスク径判別部）
ＳＷＡ  ローディングスイッチ（第１検出部、メカニカルスイッチ）
ＳＷＢ  リローディングスイッチ（第２検出部、メカニカルスイッチ）
ＳＷＣ  チャッキングスイッチ
ＲＫ１，ＲＫ２  ローディング経路
【図１】
2007250088.tif 000003
【図２】
2007250088.tif 000004
【図３】
2007250088.tif 000005
【図４】
2007250088.tif 000006
【図５】
2007250088.tif 000007
【図６】
2007250088.tif 000008
【図７】
2007250088.tif 000009
【図８】
2007250088.tif 000010
【図９】
2007250088.tif 000011
【図１０】
2007250088.tif 000012
【図１１】
2007250088.tif 000013
【図１２】
2007250088.tif 000014
【図１３】
2007250088.tif 000015
【図１４】
2007250088.tif 000016
【図１５】
2007250088.tif 000017
【図１６】
2007250088.tif 000018
【図１７】
2007250088.tif 000019
【図１８】
2007250088.tif 000020
【図１９】
2007250088.tif 000021
【図２０】
2007250088.tif 000022
【図２１】
2007250088.tif 000023
【図２２】
2007250088.tif 000024
【図２３】
2007250088.tif 000025
【図２４】
2007250088.tif 000026
【図２５】
2007250088.tif 000027